(57)【要約】【課題】接点容量の小さい自動点滅器を使用可能で、且つ、配線作業性を向上させたタイムスイッチを提供する。【解決手段】タイムスイッチＡは、電源８および負荷９ａ…の直列回路が両端間に接続されるリレー接点ｒｙ１…と、周囲の明るさに応じてオン／オフする接点３１を具備した自動点滅器Ｂの接点信号が入力される点滅器接続端子ｔ３〜ｔ５と、リレー接点ｒｙ１…をオンさせるオン時刻およびリレー接点ｒｙ１…をオフさせるオフ時刻をそれぞれ設定する設定入力ブロック３と、現在の時刻を計時する計時部１ｃと、点滅器接続端子ｔ３〜ｔ５から入力される接点信号、設定入力ブロック３により設定されたオン時刻およびオフ時刻、並びに計時部１ｃで計時された現在時刻を判別して、リレー接点ｒｙ１…をオン／オフさせるＣＰＵ１ａとを備える。【選択図】図１
2006331892.tif 000002
【特許請求の範囲】
【請求項１】
電源および負荷の直列回路が両端間に接続されるリレー接点と、周囲の明るさに応じてオン／オフする接点を具備した自動点滅器の接点信号が入力される点滅器接続端子と、リレー接点をオンさせるオン時刻およびリレー接点をオフさせるオフ時刻をそれぞれ設定するタイマ設定手段と、現在の時刻を計時する計時手段と、点滅器接続端子から入力される接点信号、タイマ設定手段により設定されたオン時刻およびオフ時刻、並びに計時手段により計時された現在時刻を判別して、前記リレー接点をオン／オフさせる制御手段とを備えて成ることを特徴とするタイムスイッチ。
【請求項２】
前記制御手段は、前記点滅器接続端子に接続される前記自動点滅器の接点がオン状態であり、且つ、計時手段により計時された現在時刻がオン時刻からオフ時刻までのオン時間帯であれば、前記リレー接点をオンさせるとともに、前記自動点滅器の接点がオフ状態になるという条件、若しくは、現在時刻が前記オン時間帯から外れるという条件の内少なくとも何れか一方の条件が成立すると、前記リレー接点をオフさせることを特徴とする請求項１記載のタイムスイッチ。
【請求項３】
前記制御手段のモードを、前記点滅器接続端子に接続される前記自動点滅器のオン／オフ状態、前記タイマ設定手段により設定されたオン時刻およびオフ時刻、並びに前記計時手段により計時された現在時刻を判別して前記リレー接点をオン／オフさせる自動点滅器連動モード、又は、前記タイマ設定手段により設定されたオン時刻およびオフ時刻と前記計時手段により計時された現在時刻を判別して前記リレー接点をオン／オフさせるタイマ制御モードの何れかに切り替えるための連動設定スイッチを設けたことを特徴とする請求項１又は２記載のタイムスイッチ。
【請求項４】
前記点滅器接続端子と、前記電源が接続される一対の電源接続端子と、前記負荷が接続される一対の負荷接続端子とをスイッチ本体に設け、一方の電源接続端子と一方の負荷接続端子の間を電気的に接続するとともに、他方の電源接続端子と他方の負荷接続端子の間に前記リレー接点を接続してあり、スイッチ本体には、分電盤への取付状態において電源接続端子よりも上側に位置するように負荷接続端子および点滅器接続端子を配置したことを特徴とする請求項１乃至３の何れか１つに記載のタイムスイッチ。
【発明の詳細な説明】
【技術分野】
【０００１】
本発明は、時刻に応じて負荷をオン／オフするタイムスイッチに関するものである。
【背景技術】
【０００２】
この種のタイムスイッチとしては、図７に示すような構成を有するものが従来より提供されている。このタイムスイッチ５０は、周囲の明るさと所定のしきい値との明暗に応じてオン／オフする自動点滅器（所謂ＥＥスイッチ）５１が接続される点滅器接続端子５２ａ、及び、負荷５３が接続される負荷接続端子５２ｂを備えた端子台５２と、予め設定された時刻（オン時刻およびオフ時刻）になると接点がオン／オフするタイマ５４と、負荷接続端子５２ｂを介して負荷５３が接続される端子およびと電源ＡＣが接続される端子を有し、負荷５３および電源ＡＣの直列回路が両端間に接続されるリレー接点（図示せず）を内蔵して、自動点滅器５１がオン状態であって且つタイマ５４の接点がオンになるとリレー接点をオンさせるマグネット５５と、タイムスイッチ５０の制御モードを、自動点滅器５１及びタイマ５４のオン／オフ状態に基づいてリレー接点を自動的にオン／オフさせる「自動」モード、自動点滅器５１及びタイマ５４のオン／オフに関係なくリレー接点を強制的にオンさせる「試験」モードと、リレー接点を強制的にオフさせる「切」モードの何れかに切り替える切替スイッチ５６とを備えている。
【０００３】
しかしながら、このタイムスイッチ５０では、タイマ５４と、マグネット５５と、切替スイッチ５６とをそれぞれ別体に構成しているので、それぞれの機器の結線が必要であり、分電盤などに組み込んで使用する場合には組立の手間がかかって、コストアップの要因になるという問題があった。
【０００４】
そこで、特許文献１に示すように、上述のタイムスイッチ５０においてタイマ５４と切替スイッチ５６の機能を１つの筐体に納めるとともに、自動点滅器５１が接続される点滅器接続端子と、電磁接触器が接続されるリレー接続端子とを設けたものも従来から提供されている（例えば特許文献１参照）。このタイムスイッチでは、切替スイッチを用いて自動モードに切り換えた状態で、タイマ５４および自動点滅器５１がオン状態になると、タイマ５４の接点と自動点滅器５１の接点とを介してリレー接続端子に接続された電磁接触器が通電され、電磁接触器の接点が閉極することによって負荷に電源が供給されるようになっている。
【特許文献１】特開平８−２２２１０４号公報（段落番号［０００７］、［０００８］、及び、第１図）
【発明の開示】
【発明が解決しようとする課題】
【０００５】
上記構成のタイムスイッチにおいて、自動点滅器の接点をそのまま負荷や電源に接続する場合は、自動点滅器の接点に高容量のものを使用しなければならず、コストアップになるという問題があった。また自動点滅器の接点に高容量のものを使用しない場合は、特許文献１に示されるタイムスイッチと同様に、負荷および電源の直列回路の両端間に電磁接触器のリレー接点を接続するとともに、自動点滅器の接点とタイマの接点とを介して電磁接触器のコイルに通電し、リレー接点を閉極させることによって負荷をオンするため、電磁接触器が別途必要になって、配線作業の手間がかかるという問題があった。
【０００６】
本発明は上記問題点に鑑みて為されたものであり、その目的とするところは、接点容量の小さい自動点滅器を使用可能で、且つ、配線作業性を向上させたタイムスイッチを提供することにある。
【課題を解決するための手段】
【０００７】
上記目的を達成するために、請求項１の発明は、電源および負荷の直列回路が両端間に接続されるリレー接点と、周囲の明るさに応じてオン／オフする接点を具備した自動点滅器の接点信号が入力される点滅器接続端子と、リレー接点をオンさせるオン時刻およびリレー接点をオフさせるオフ時刻をそれぞれ設定するタイマ設定手段と、現在の時刻を計時する計時手段と、点滅器接続端子から入力される接点信号、タイマ設定手段により設定されたオン時刻およびオフ時刻、並びに計時手段により計時された現在時刻を判別して、リレー接点をオン／オフさせる制御手段とを備えて成ることを特徴とする。
【０００８】
この発明によれば、自動点滅器の備える接点を負荷や電源に直接接続していないので、自動点滅器の接点を負荷や電源に直接接続する場合に比べて、自動点滅器の接点に電流容量の小さい接点を用いることができ、したがって小容量タイプの接点を内蔵した既存の自動点滅器にも対応できるという効果がある。しかも電源および負荷の直列回路が両端間に接続されるリレー接点を有し、このリレー接点のオン／オフを制御手段が制御しているので、従来のタイムスイッチのように別体に形成された電磁接触器を使用する必要が無く、配線作業の手間を少なくできるという効果もある。
【０００９】
請求項２の発明は、請求項１記載の発明において、制御手段は、点滅器接続端子に接続される自動点滅器の接点がオン状態であり、且つ、計時手段により計時された現在時刻がオン時刻からオフ時刻までのオン時間帯であれば、リレー接点をオンさせるとともに、自動点滅器の接点がオフ状態になるという条件、若しくは、現在時刻がオン時間帯から外れるという条件の内少なくとも何れか一方の条件が成立すると、リレー接点をオフさせることを特徴とする。
【００１０】
この発明によれば、自動点滅器がオンになり、且つ、計時手段により計時された現在時刻がオン時間帯であった場合のみ、制御手段がリレー接点をオンさせており、例えば負荷が照明の場合は周囲が暗くても、人通りの少ない深夜には照明は不要であるから、深夜の時間帯をオフ時間帯に設定することで、負荷を停止させて省エネを図ることができる。また夕方や明け方など周囲が明るい場合は自動点滅器がオフになるから、オン時間帯であっても負荷を停止させることができ、省エネを図ることができる。
【００１１】
請求項３の発明は、請求項１又は２記載の発明において、制御手段のモードを、点滅器接続端子に接続される自動点滅器のオン／オフ状態、タイマ設定手段により設定されたオン時刻およびオフ時刻、並びに計時手段により計時された現在時刻を判別してリレー接点をオン／オフさせる自動点滅器連動モード、又は、タイマ設定手段により設定されたオン時刻およびオフ時刻と計時手段により計時された現在時刻を判別してリレー接点をオン／オフさせるタイマ制御モードの何れかに切り替えるための連動設定スイッチを設けたことを特徴とする。
【００１２】
この発明によれば、連動設定スイッチを用いて制御手段のモードを自動点滅器連動モード又はタイマ制御モードの何れかに切り替えることができるので、例えば自動点滅器で何らかの故障が発生している場合には、タイマ制御モードに切り替えることによって、自動点滅器のオン／オフ状態に関係無く、現在時刻とオン時刻およびオフ時刻のみに基づいてリレー接点のオン／オフを決定することができ、使い勝手が向上する。
【００１３】
請求項４の発明は、請求項１乃至３の何れかに１つに記載の発明において、点滅器接続端子と、電源が接続される一対の電源接続端子と、負荷が接続される一対の負荷接続端子とをスイッチ本体に設け、一方の電源接続端子と一方の負荷接続端子の間を電気的に接続するとともに、他方の電源接続端子と他方の負荷接続端子の間にリレー接点を接続してあり、スイッチ本体には、分電盤への取付状態において電源接続端子よりも上側に位置するように負荷接続端子および点滅器接続端子を配置したことを特徴とする。
【００１４】
この発明によれば、分電盤内にタイムスイッチを取り付ける際に予め配線が接続される電源接続端子よりも、現場で配線が接続される負荷接続端子および点滅器接続端子を分電盤への取付状態における上側に配置しているので、負荷接続端子および点滅器接続端子に現場で配線する際に、電源接続端子に接続された配線が邪魔にならず、配線作業の作業性が向上するという効果がある。
【発明の効果】
【００１５】
本発明によれば、自動点滅器の備える接点を負荷や電源に直接接続していないので、自動点滅器の接点を負荷や電源に直接接続する場合に比べて、自動点滅器の接点に電流容量の小さい接点を用いることができ、したがって小容量タイプの接点を内蔵した既存の自動点滅器にも対応できるという効果がある。しかも電源および負荷の直列回路が両端間に接続されるリレー接点を有し、このリレー接点のオン／オフを制御手段が制御しているので、従来のタイムスイッチのように別体に形成された電磁接触器を使用する必要が無く、配線作業の手間を少なくできるという効果もある。
【発明を実施するための最良の形態】
【００１６】
以下に本発明の実施の形態を図１〜図６に基づいて説明する。
【００１７】
図１は本実施形態のタイムスイッチＡのブロック図であり、このタイムスイッチＡは、制御回路ブロック１と、電源ブロック２と、設定入力ブロック３と、出力回路ブロック４と、表示部５と、発振回路６とを主要な構成として備えている。
【００１８】
またタイムスイッチＡは、内部回路の動作電源７を接続するための一対の電源接続端子ｔ１，ｔ２と、自動点滅器Ｂからの３本の接続線を接続するための点滅器接続端子ｔ３〜ｔ５とを備えるとともに、白熱灯や蛍光灯などの照明負荷からなる２台の負荷９ａ，９ｂをそれぞれ接続するための２個で１組の負荷接続端子ｔ１２，ｔ１４と、各々の負荷９ａ，９ｂに供給される電源８，８をそれぞれ接続するための２個で１組の電源接続端子ｔ１１，ｔ１３とを２組ずつ備えており、一方の電源接続端子ｔ１３と一方の負荷接続端子ｔ１４との間を電気的に接続するとともに、他方の電源接続端子ｔ１１と他方の負荷接続端子ｔ１２との間に後述するリレー接点ｒｙ１，ｒｙ２をそれぞれ接続してある。なお本実施形態のタイムスイッチＡでは２系統の負荷９ａ，９ｂのオン／オフを制御しているが、負荷の数を２つに限定する趣旨のものではなく、負荷の数だけ電源接続端子ｔ１１，ｔ１３や負荷接続端子ｔ１２，ｔ１４やリレー接点ｒｙ１…を設ければよい。
【００１９】
ここで、タイムスイッチＡに接続される自動点滅器Ｂについて説明する。自動点滅器Ｂは、点滅器接続端子ｔ３，ｔ４間に接続される接点３１と、周囲の明るさを検出する明るさセンサ（図示せず）と、点滅器接続端子ｔ４，ｔ５を介して動作電源が供給され、明るさセンサの検出した周囲の明るさが所定のしきい値よりも明るくなると接点３１をオフさせるとともに、周囲の明るさがしきい値よりも暗くなると接点３１をオンさせる制御回路３２とを備え、接点３１のオン／オフ信号がタイムスイッチＡの制御回路ブロック１に出力される。
【００２０】
次にタイムスイッチＡの回路構成について説明する。制御回路ブロック１はＣＰＵ１ａ（制御手段）と、ＲＯＭやＲＡＭなどからなりＣＰＵ１の動作プログラムや演算データなどのデータを記憶するメモリ１ｂと、一定周期のクロックをカウントすることによって現在の時刻を計時する計時部１ｃ（計時手段）とで構成される。尚、ＣＰＵ１ａの動作クロックは発振回路６から供給されている。
【００２１】
電源ブロック２は、電源接続端子ｔ１，ｔ２を介して供給される動作電源７を直流電源に変換して制御回路ブロック１に供給する電源回路２ａと、電源回路２ａの出力により充電されるとともに、停電時に放電して制御回路ブロック１に電源供給を行うバックアップ電池２ｂとで構成される。
【００２２】
タイマ設定手段たる設定入力ブロック３は、各々の負荷９ａ，９ｂ毎にオン時刻やオフ時刻などタイマ動作に関する設定を行う操作部３ａと、制御回路ブロック１の制御モードを自動点滅器Ｂのオン／オフ状態や計時部１ｃの計時した現在時刻に従ってリレー接点ｒｙ１…を自動的にオン／オフさせる自動モード、自動点滅器Ｂのオン／オフ状態や現在時刻と無関係にリレー接点ｒｙ１…を強制的にオフさせる切モード、又は自動点滅器Ｂのオン／オフ状態や現在時刻と無関係にリレー接点ｒｙ１…を強制的にオンさせる試験モードの何れかに切り替えるモード切替スイッチ３ｂと、上述の自動モードにおいて連動モードを後述の自動点滅器連動モード（連動有り）又はタイマ制御モード（連動無し）の何れかに切り替えるための連動設定スイッチ３ｃと、操作部３ａ、モード切替スイッチ３ｂおよび連動設定スイッチ３ｃからの操作入力を制御回路ブロック１に与えるキーマトリックス３ｄとで構成される。
【００２３】
ここにおいて、上述の自動点滅器連動モードとは、制御回路ブロック１が、点滅器接続端子ｔ３，ｔ５間に接続された自動点滅器Ｂのオン／オフ状態、設定入力ブロック３を用いて設定されたオン時刻およびオフ時刻、並びに計時部１ｃにより計時された現在時刻を判別して、リレー接点ｒｙ１，ｒｙ２をオン／オフさせるモードである。またタイマ制御モードとは、制御回路ブロック１が、自動点滅器Ｂのオン／オフ状態とは無関係に、設定入力ブロック３を用いて設定されたオン時刻およびオフ時刻、並びに計時部１ｃにより計時された現在時刻を判別して、リレー接点ｒｙ１，ｒｙ２をオン／オフさせるモードである。
【００２４】
また出力回路ブロック４は、各々の組（系統）の電源接続端子ｔ１１と負荷接続端子ｔ１２との間にそれぞれ接続されるリレー接点ｒｙ１，ｒｙ２と、制御回路ブロック１から入力される制御信号に応じてリレー接点ｒｙ１，ｒｙ２をオン／オフさせるリレー駆動部４ａ，４ｂとで構成されている。
【００２５】
表示部５は例えば液晶ディスプレイからなり、制御回路ブロック１により表示内容が制御され、オン時刻やオフ時刻などのタイマ制御に関わる設定内容や現在の動作状態を表示する。
【００２６】
以上のように本実施形態では自動点滅器Ｂの備える接点３１をそのまま負荷９ａ，９ｂや電源８に接続していないので、自動点滅器Ｂの接点３１をそのまま負荷９ａ，９ｂや電源８に接続する場合に比べて、自動点滅器Ｂの接点３１に電流容量の小さい接点を用いることができ、したがって小容量タイプの接点３１を内蔵した既存の自動点滅器Ｂを本実施形態のタイムスイッチＡに接続して使用することができる。しかも本実施形態のタイムスイッチＡは、電源８および負荷９ａ，９ｂの直列回路が両端間に接続されるリレー接点ｒｙ１，ｒｙ２を内部に備え、このリレー接点ｒｙ１，ｒｙ２のオン／オフをＣＰＵ１ａが制御しているので、従来のタイムスイッチのように別体に形成された電磁接触器を使用する必要が無く、配線作業の手間を少なくできる。
【００２７】
次にタイムスイッチＡの構造について説明する。図５（ａ）はタイムスイッチＡの正面図、同図（ｂ）はタイムスイッチＡの側面図であり、タイムスイッチＡは略直方体状の器体１１を備え、この器体１１の内部には上述した図１の回路が形成された回路基板を収納してある。器体１１の前面には表示部５が略中央に配設されるとともに、この表示部５の図５中右側に各々の負荷９ａ，９ｂ毎に連動モードを設定するための連動設定スイッチ３ｃの操作摘み１２ａ，１２ｂが配設されている。また器体１１の前面において表示部５の図５中上側には各々の負荷９ａ，９ｂ毎に制御モードを設定するためのモード切替スイッチ３ｂの操作摘み１３ａ，１３ｂが左右に並べて設けられ、表示部５の図５中下側には操作部３ａの操作釦１４が複数配設されている。而して、本実施形態ではモード切替スイッチ３ｂの操作摘み１３ａ，１３ｂを用いて、各々の負荷９ａ，９ｂ毎に制御モードを設定することができ、且つ、制御モードが自動モードに設定されている場合には、連動設定スイッチ３ｃの操作摘み１２ａ，１２ｂを用いて、各々の負荷９ａ，９ｂ毎に連動の有り無しを設定できるから、個々の負荷９ａ，９ｂに所望の動作を行わせることができる。
【００２８】
ところで図６（ａ）（ｂ）は表示部５に表示される画面の一例を示し、同図（ａ）は自動点滅器連動モードで動作中の画面を、同図（ｂ）はタイマ制御モードで動作中の画面をそれぞれ示している。表示部５の表示はＣＰＵ１ａによって制御されており、通常の制御動作を行っている間は画面の下側に現在の日時を表示させている。また器体１１の前面には、表示部５の上側辺に沿って「通常」「時計」「出力１」「出力２」「ＥＥ入力」のような文字が印刷などの方法で表示されており、ＣＰＵ１ａが表示部５の画面において「通常」の文字の下側に▲のシンボル５ａを表示させて、通常の制御動作を実行中であることを表示する。一方、自動点滅器Ｂからの入力がある場合には、ＣＰＵ１ａが表示部５の画面において「ＥＥ入力」の文字の下側に▲のシンボル５ｂを表示させて、自動点滅器Ｂの入力があることを表示する。
【００２９】
また器体１１の図５中右側には端子台１５が設けられている。端子台１５は、図５（ｂ）に示すように複数個のねじ端子１６を２段に並べて構成される。そして、タイムスイッチＡの施工状態（つまり分電盤への取付状態）において下側となる段には、タイムスイッチＡの動作電源が接続される電源接続端子ｔ１，ｔ２と、負荷９ａ，９ｂの動作電源がそれぞれ接続される２組の電源接続端子ｔ１１，ｔ１３とを配置してある。一方、施工状態において上側となる段には、自動点滅器Ｂが接続される点滅器接続端子ｔ３〜ｔ５と、負荷９ａ，９ｂがそれぞれ接続される２組の負荷接続端子ｔ１２，ｔ１４とを配置してある。ここでタイムスイッチＡは、現地に設置される電灯分電盤（図示せず）の内部に収納されて使用されるのであるが、盤メーカが電灯分電盤を組み立てる際に工場で予め配線される電源接続端子ｔ１，ｔ２，ｔ１１，ｔ１３を分電盤への取付状態において下側となる段に、現場で配線が行われる点滅器接続端子ｔ３〜ｔ５および負荷接続端子ｔ１２，ｔ１４を分電盤への取付状態において上側となる段にそれぞれ配設してある。すなわちタイムスイッチＡの器体（スイッチ本体）１１には、分電盤への取付状態において電源接続端子ｔ１，ｔ２，ｔ１１，ｔ１３よりも上側に位置するように点滅器接続端子ｔ３〜ｔ５および負荷接続端子ｔ１２，ｔ１４を配置しているので、分電盤の設置現場で自動点滅器Ｂや負荷９ａ，９ｂからの配線を端子台１５に結線する際に予め結線されている電源線が邪魔にならず、配線作業がやり易いという利点がある。
【００３０】
次にタイムスイッチＡの動作を図２〜図４に基づいて説明する。ＣＰＵ１ａは、電源が投入されるとメモリ１ｂから動作プログラムを読み込み、所定の制御周期が経過する毎に図２のフローチャートに示す制御ルーチンを実行する。ＣＰＵ１は、先ずオン時刻やオフ時刻などの設定内容をメモリ１ｂから読み込んだ後（Ｓ１）、計時部１ｃから現在時刻を読み込み、オン時間帯（オン時刻からオフ時刻までの期間）か、或いは、オフ時間帯（オフ時刻からオン時刻までの期間）かを判断する（Ｓ２）。
【００３１】
Ｓ２において現在時刻がオン時間帯の場合、ＣＰＵ１ａは連動設定スイッチ３ｃによる設定状態を確認し（Ｓ３）、連動有りか無しか、すなわち自動点滅器連動モードかタイマ制御モードかを判断する（Ｓ４）。連動有り（自動点滅器連動モード）の場合は自動点滅器Ｂのオン／オフ状態を読み込んで（Ｓ５）、自動点滅器Ｂの接点３１がオン状態かオフ状態かを判断する（Ｓ６）。ここで、Ｓ４において連動無し（タイマ制御モード）の場合、或いはＳ６において連動有りで且つ接点３１がオン状態の場合、ＣＰＵ１ａはリレー駆動部４ａ，４ｂにオン制御信号を出力して、リレー駆動部４ａ，４ｂによりリレー接点ｒｙ１，ｒｙ２をオンさせ、制御ルーチンを終了する。このとき、負荷９ａ，９ｂにリレー接点ｒｙ１，ｒｙ２を介して電源８が供給され、負荷９ａ，９ｂが点灯する。一方、Ｓ６において連動有りで且つ接点３１がオフ状態の場合、或いは、Ｓ２においてオフ時間帯の場合、ＣＰＵ１ａはリレー駆動部４ａ，４ｂにオフ制御信号を出力して、リレー駆動部４ａ，４ｂによりリレー接点ｒｙ１，ｒｙ２をオフさせ（Ｓ８）、制御ルーチンを終了する。なお、ＣＰＵ１ａは所定の制御周期が経過する毎に上述の制御ルーチンを実行しており、毎日、予め設定されたオン時間帯で、自動点滅器Ｂの接点３１がオン状態となる期間（周囲の明るさが所定のしきい値よりも暗い期間）だけ負荷９ａ，９ｂを点灯させることができる。
【００３２】
また図３および図４を参照して自動点滅器連動モードおよびタイマ制御モードでの負荷の動作を説明する。図３は自動点滅器連動モード（連動有り）における動作を示しており、同図（ｂ）のようにオン時間帯が夕方の時刻Ｔ１（例えば１６時）から時刻Ｔ３（例えば０時）までの期間と、朝方の時刻Ｔ４（例えば４時）から時刻Ｔ６（例えば７時）までの期間に設定されている場合に、自動点滅器Ｂの接点３１が同図（ａ）に示すように時刻Ｔ２（Ｔ１＜Ｔ２＜Ｔ３）から時刻Ｔ５（Ｔ４＜Ｔ５＜Ｔ６）までオンになったものとする。すなわち時刻Ｔ２から時刻Ｔ５までの期間は周囲の明るさが所定のしきい値よりも暗くなったものとする。自動点滅器連動モードにおいては、ＣＰＵ１ａは、自動点滅器Ｂの接点３１がオン状態であり、且つ、現在時刻がオン時間帯であれば、リレー接点ｒｙ１，ｒｙ２をオンさせるので、この場合には時刻Ｔ２から時刻Ｔ３までの期間Ｔａと、時刻Ｔ４から時刻Ｔ５までの期間Ｔｂにおいてリレー駆動部４ａ，４ｂによりリレー接点ｒｙ１，ｒｙ２をオンさせて、負荷９ａ，９ｂを点灯させている（同図（ｃ）参照）。したがって、オン時間帯であっても周囲の明るさが所定のしきい値よりも明るい夕方や明け方の期間（時刻Ｔ１〜Ｔ２、時刻Ｔ５〜Ｔ６）は、ＣＰＵ１ａがリレー駆動部４ａ，４ｂによりリレー接点ｒｙ１，ｒｙ２をオフさせて、負荷９ａ，９ｂを消灯させているので、照明が不要な期間は負荷９ａ，９ｂを消灯させることで省エネを図ることができる。またＣＰＵ１ａは、周囲の明るさが所定のしきい値より暗い場合（つまり自動点滅器Ｂの接点３１がオンの場合）でも、予め設定されたオフ時刻Ｔ３からオン時刻Ｔ４までのオフ時間帯は負荷９ａ，９ｂを消灯させており、人通りの少ない深夜や早朝の時間帯には負荷９ａ，９ｂを消灯させることで、省エネを図ることができる。
【００３３】
一方、図４はタイマ制御モード（連動無し）における動作を示しており、同図（ｂ）のようにオン時間帯が夕方の時刻Ｔ１（例えば１６時）から時刻Ｔ３（例えば０時）までの期間と、朝方の時刻Ｔ４（例えば４時）から時刻Ｔ６（例えば７時）までの期間に設定されている場合に、自動点滅器Ｂの接点３１が同図（ａ）に示すように時刻Ｔ２（Ｔ１＜Ｔ２＜Ｔ３）から時刻Ｔ５（Ｔ４＜Ｔ５＜Ｔ６）までオンになったものとする。タイマ制御モードにおいては、ＣＰＵ１ａは、自動点滅器Ｂのオン／オフ状態に関係なく、現在時刻がオン時間帯であれば、リレー接点ｒｙ１，ｒｙ２をオンさせるので、この場合には時刻Ｔ１から時刻Ｔ３までの期間Ｔｃと、時刻Ｔ４から時刻Ｔ６までの期間Ｔｄにおいてリレー駆動部４ａ，４ｂによりリレー接点ｒｙ１，ｒｙ２をオンさせて、負荷９ａ，９ｂを点灯させる（同図（ｃ）参照）。このようにＣＰＵ１ａは、自動点滅器Ｂのオン／オフ状態に関係なく、予め設定されたオン時刻およびオフ時刻と現在時刻とに基づいてリレー接点ｒｙ１，ｒｙ２のオン／オフを決定しているので、自動点滅器Ｂが何らかの理由で故障している場合には、モード切替スイッチ３Ｂを用いてタイマ制御モードに切り換えることで、一般のタイムスイッチとして使用することができ、使い勝手が向上する。
【００３４】
なお、本発明の精神と範囲に反することなしに、広範に異なる実施形態を構成することができることは明白なので、この発明は、特定の実施形態に制約されるものではない。
【図面の簡単な説明】
【００３５】
【図１】本実施形態のタイムスイッチのブロック図である。
【図２】同上の動作を説明するフローチャートである。
【図３】（ａ）〜（ｃ）は同上の動作を説明するタイムチャートである。
【図４】（ａ）〜（ｃ）は同上の他の動作を説明するタイムチャートである。
【図５】同上を示し、（ａ）は正面図、（ｂ）は側面図である。
【図６】（ａ）（ｂ）は同上の表示部に表示される画面の一例を示す図である。
【図７】従来のタイムスイッチの概略構成図である。
【符号の説明】
【００３６】
Ａ  タイムスイッチ
１  制御回路ブロック
１ａ  ＣＰＵ
１ｂ  メモリ
１ｃ  計時部
２  電源ブロック
３  設定入力ブロック
４  出力回路ブロック
ｒｙ１…  リレー接点
ｔ３〜ｔ５  点滅器接続端子
ｔ１１，ｔ１３  電源接続端子
ｔ１２，ｔ１４  負荷接続端子
【図１】
2006331892.tif 000003
【図２】
2006331892.tif 000004
【図３】
2006331892.tif 000005
【図４】
2006331892.tif 000006
【図５】
2006331892.tif 000007
【図６】
2006331892.tif 000008
【図７】
2006331892.tif 000009